(57)【特許請求の範囲】
【請求項１】
印刷前の連続印字用紙と印刷後の連続印字用紙を収納し、印刷前の用紙と印刷後の用紙の収納場所が同一空間となるコンソールと、該コンソールの上部に位置して印刷を行う印刷機構部と、前記コンソール内部の印刷後用紙の収納場所に位置し、コンソール前部方向に移動可能で、印字後用紙を折り畳み収納するためのテーブルとを有し、前記コンソールの前部に置いた連続印字用紙を印刷機構部に給送し、前記印刷機構部で印字後、コンソール後部に連続印字用紙を落下させ折り畳むことにより印刷を行うドットプリンタにおいて、
前記テーブルの移動量を規定するストッパを、任意の移動量を規定できるように、複数箇所に設けたことを特徴とするドットプリンタ。
【請求項２】
請求項１記載のドットプリンタにおいて、
前記ストッパは任意の移動量を規定できるように着脱可能となっていることを特徴とするドットプリンタ。
【請求項３】
印刷前の連続印字用紙と印刷後の連続印字用紙を収納し、印刷前の用紙と印刷後の用紙の収納場所が同一空間となるコンソールと、該コンソールの上部に位置して印刷を行う印刷機構部と、前記コンソール内部の印刷後用紙の収納場所に位置し、コンソール前部方向に移動可能で、印字後用紙を折り畳み収納するためのテーブルとを有し、前記コンソールの前部に置いた連続印字用紙を印刷機構部に給送し、前記印刷機構部で印字後、コンソール後部に連続印字用紙を落下させ折り畳むことにより印刷を行うドットプリンタにおいて、
前記テーブルの下面に設けられた第１の嵌合手段と、前記コンソール底部の上面に設けられたガイドレールと、該ガイドレールに設けられた第２の嵌合手段とを有し、該第２の嵌合手段に前記第１の嵌合手段を嵌合して移動せしめることにより前記テーブルの移動量を規定することを特徴とするドットプリンタ。
【請求項４】
請求項３記載のドットプリンタにおいて、
前記第１の嵌合手段は突起状であって、前記第２の嵌合手段は異なる長さの複数種の溝からなり、第１の嵌合手段を複数種の長さの異なる第２の嵌合手段のうちの所定の位置の溝に嵌合せしめることにより、複数のスライド量を規定できるようにしたことを特徴とするドットプリンタ。
【請求項５】
請求項４記載のドットプリンタにおいて、
前記第２の嵌合手段の複数種の溝に直交するべく補助溝を設け、他の溝への移動は第１の嵌合手段が補助溝を経て移動せしめることにより行われることを特徴とするドットプリンタ。
【請求項６】
印刷前の連続印字用紙と印刷後の連続印字用紙を収納し、印刷前の用紙と印刷後の用紙の収納場所が同一空間となるコンソールと、該コンソールの上部に位置して印刷を行う印刷機構部と、前記コンソール内部の印刷後用紙の収納場所に位置し、コンソール前部方向に移動可能で、印字後用紙を折り畳み収納するためのテーブルとを有し、前記コンソールの前部に置いた連続印字用紙を印刷機構部に給送し、前記印刷機構部で印字後、コンソール後部に連続印字用紙を落下させ折り畳むことにより印刷を行うドットプリンタにおいて、
前記テーブルの特定位置に着脱可能に設けられた位置決めピンと、前記コンソール底部の上面に設けられたガイドレールと、該ガイドレールに設けられたガイド溝とを有し、前記位置決めピンは該ガイド溝内で移動可能であると共に、前記ガイド溝端部に位置決めピンを当接せしめることにより前記テーブルの移動量を規定することを特徴とするドットプリンタ。
【請求項７】
請求項６記載のドットプリンタにおいて、
前記テーブルは少なくとも位置決めピンの差し替え位置を少なくとも２箇所以上有しており、前記テーブルの移動可能な位置を複数箇所規定できるようにしたことを特徴とするドットプリンタ。
【請求項８】
請求項６記載のドットプリンタにおいて、
前記位置決めピンはＵ字型で両端の長さが異なる形状であって、少なくとも２箇所以上設けられている前記テーブルの位置決め穴の両方に前記位置決めピンの両端部を挿入して第一のスライド量を規定し、前記位置決めピン端部の長尺側を２箇所の穴のどちらか片方に挿入して第２のスライド量を規定することを特徴とするドットプリンタ。
【発明の詳細な説明】
【０００１】
【発明の属する技術分野】
本発明は印刷用紙を収納するコンソール部の前面から印刷用紙を取り出す構成のドットプリンタに関し、更に詳しくは印刷用紙をコンソール前面から取り出すためのスライドテーブルの位置決めに関するものである。
【０００２】
【従来の技術】
図９及び図１０を使用して従来技術を説明する。
【０００３】
図９において、連続印刷用紙を使用するコンソールタイプのドットプリンタは、印刷を行なう前の用紙（以下印刷前用紙という）１と印刷終了後の用紙（以下印刷後用紙という）２が収納されているコンソール３と、印刷を行う印刷機構部１０とから構成されている。そして、コンソール３の前部に置いた印刷前用紙１を印刷機構部１０に取り込み、印刷機構部１０にて印刷後、コンソール３の後部に印刷後用紙２を落下させ折り畳むよう動作する。
【０００４】
上記形式のドットプリンタにおいては、印刷後用紙２をプリンタ後部、または側面から取り出すため、取り出しのためのスペースがプリンタ後部、または側面に必要であった。
【０００５】
上記問題を解消するため、印刷後用紙２がプリンタ前面より取り出せるように、コンソール３の内部の前後方向にスライド可能なテーブル４をに設け、印刷後用紙２をプリンタ前面から取り出せる構成が提案されている。
【０００６】
図１０は前記構成を示す側面断面図であって、前記テーブル４には前後スライド位置を規定するストッパ５が設けられている。このストッパ５は、前記テーブル４がプリンタ前部に引き出されたときはプリンタ前部からテーブル４が落ちないように作用し、また、前記テーブル４がコンソール３の後部に押し戻されるときは所定の位置にテーブル４がセットできるように作用する。
【０００７】
その他、テーブル４には印刷後用紙２の折り畳みを促進させる印字用紙の折り畳み位置を決定するためのスタッキングガイド６、及び印刷後用紙のソリ（カール）を矯正するためのカールコレクタ７が、印字用紙の頁長に応じて付け替え可能に設置してある。
【０００８】
コンソール３の前後寸法Ａは、機器の外形寸法を可能な限り小型化するべく、Ｚ折れの間隔が１２インチ前後の用紙がコンソール内前後（すなわち印刷前用紙と印刷後用紙の２セット）に置ける寸法になっている。
【０００９】
【発明が解決しようとする課題】
上記構成において、テーブル４の位置はコンソール３の後部で常に一定に設定されており、印刷用紙のＺ折れの間隔が変わった時にはテーブル４上のスタッキングガイド６、及びカールコレクタ７をＺ折れの間隔に対応する位置に付け替えて印刷用紙を折り畳ませるようにしていた。しかし、図１０に示すように、ある頁長に対してはテーブル３の位置及びスタッキングガイド６、カールコレクタ７の位置が、印刷機構部１０からの用紙の落下位置に対してコンソール３前後に偏った位置になってしまい、折り畳み不良が発生していた。
【００１０】
特に、Ｚ折れの間隔が長い（１２インチ以上）印刷用紙を使用する際には、上記と同様の折り畳み不良の発生する確率が極めて高いという問題も発生していた。
【００１１】
【課題を解決するための手段】
本発明の課題を解決する第１の構成は、印刷前の連続印字用紙と印刷後の連続印字用紙を収納し、印刷前の用紙と印刷後の用紙の収納場所が同一空間となるコンソールと、該コンソールの上部に位置して印刷を行う印刷機構部と、前記コンソール内部の印刷後用紙の収納場所に位置し、コンソール前部方向に移動可能で、印字後用紙を折り畳み収納するためのテーブルとを有し、前記コンソールの前部に置いた連続印字用紙を印刷機構部に給送し、前記印刷機構部で印字後、コンソール後部に連続印字用紙を落下させ折り畳むことにより印刷を行うドットプリンタにおいて、前記テーブルの移動量を規定するストッパを、任意の移動量を規定できるように、複数箇所に設けることにある。
【００１２】
また、本発明の課題を解決する第２の構成は、印刷前の連続印字用紙と印刷後の連続印字用紙を収納し、印刷前の用紙と印刷後の用紙の収納場所が同一空間となるコンソールと、該コンソールの上部に位置して印刷を行う印刷機構部と、前記コンソール内部の印刷後用紙の収納場所に位置し、コンソール前部方向に移動可能で、印字後用紙を折り畳み収納するためのテーブルとを有し、前記コンソールの前部に置いた連続印字用紙を印刷機構部に給送し、前記印刷機構部で印字後、コンソール後部に連続印字用紙を落下させ折り畳むことにより印刷を行うドットプリンタにおいて、前記テーブルの下面に設けられた第１の嵌合手段（突起または溝）と、前記コンソール底部の上面に設けられたガイドレールと、該ガイドレールに設けられた第２の嵌合手段（溝または突起）とを有し、該第２の嵌合手段に第１の嵌合手段を嵌合して移動せしめることにより前記テーブルの移動量を規定することにある。
【００１３】
更に、本発明の課題を解決する第３の構成は、印刷前の連続印字用紙と印刷後の連続印字用紙を収納し、印刷前の用紙と印刷後の用紙の収納場所が同一空間となるコンソールと、該コンソールの上部に位置して印刷を行う印刷機構部と、前記コンソール内部の印刷後用紙の収納場所に位置し、コンソール前部方向に移動可能で、印字後用紙を折り畳み収納するためのテーブルとを有し、前記コンソールの前部に置いた連続印字用紙を印刷機構部に給送し、前記印刷機構部で印字後、コンソール後部に連続印字用紙を落下させ折り畳むことにより印刷を行うドットプリンタにおいて、前記テーブルの特定位置に着脱可能に設けられた位置決めピンと、前記コンソール底部の上面に設けられたガイドレールと、該ガイドレールに設けられたガイド溝とを有し、前記位置決めピンは該ガイド溝内で移動可能であると共に、前記ガイド溝端部に位置決めピンを当接せしめることにより前記テーブルの移動量を規定することにある。
【００１４】
前記第３の構成において、好ましくは、前記テーブルは少なくとも位置決めピンの差し替え位置を少なくとも２箇所以上有しており、前記テーブルの移動可能な位置を複数箇所規定できるようにすればよい。あるいは、前記位置決めピンはＵ字型で両端の長さが異なる形状であって、少なくとも２箇所以上設けられている前記テーブルの位置決め穴の両方に前記位置決めピンの両端部を挿入して第一のスライド量を規定し、前記位置決めピン端部の長尺側を２箇所の穴のどちらか片方に挿入して第２のスライド量を規定できればよい。
【００１５】
【発明の実施の形態】
以下、本発明を図１〜図８を用いて詳細に説明する。
【００１６】
図１は本発明のコンソール３の内部を示す側面断面図及び平面図である。
【００１７】
コンソール３の前後幅は頁長１２インチ程度の用紙がコンソール３の床板２１にセットできるだけの寸法とする。また、以下、頁長と示すのは連続印字用紙のＺ折れ間の寸法を示す。
【００１８】
図１はストッパ５の取り付けを実線部と破線部、２点鎖線部の３箇所でネジ止めできるようにし、テーブル４の位置決めを３箇所でできるようにしたものである。実線部に位置決めしたときはスタッキングガイド６、及びカールコレクタ７を頁長に応じて付け替えることにより、頁長の比較的短い用紙（６〜９インチ）に於いて、印刷機構部１０からの用紙の落下位置をテーブル４の中央に位置決めすることができる。また、破線部に位置決めしたときはスタッキングガイド６、及びカールコレクタ７を頁長に応じて付け替えることにより、頁長の比較的長い用紙（１０〜１２インチ）に於いて、印刷機構部１０からの落下位置をテーブル４の中央に位置決めすることができる。また、それ以上の頁長の場合はコンソール３前部に用紙がセットできるように、２点鎖線の位置にテーブル４をセットすると良い。要旨ではないので詳述は避けるが、上記のように１２インチ以上の用紙を使用し、テーブル４を最下端まで下げる使用方法の時は、コンソールにドアがついている場合はそれが簡単に外れるように構成し、テーブル４の前後方向の長さも延長できるような部材を付加できるようにしておくと良い。
【００１９】
図２は本発明の第２の例を示す側面図、及び平面図である。
【００２０】
図２に示すようにテ−ブル４側のスライドレール３１にガイド溝を設け、そこにテーブル４側の突起３２を嵌合させ、テーブル４の位置決めをする。
【００２１】
溝Ａでは、端部ａと端部ｂの位置がテーブル４のストッパになる。また、テーブル４を溝Ｂに嵌合するようにテーブル４を載せかえると、端部ｃと端部ｄの位置がストッパになり、溝Ａの時よりスライド量を増やすことができる。
【００２２】
また、溝Ａと溝Ｂを結ぶ補助溝Ｃを設けることにより、テーブル４の載せ換えをテーブル４を持ち上げることなく、テーブル４の突起３２を補助溝Ｃ内でスライドするだけで行うことができる。
【００２３】
図３〜図６は第３の例を示す。図３は本発明を示す側面断面図、図４は本発明におけるテーブルの着脱を示す側面断面図、図５は平面図、図６は斜視図である。
【００２４】
図３に示すように、コンソール３側にストッパ１４を前方向に少なくとも１ヶ所設け、テーブル１２の底面には、テーブル１２の前後移動をスムーズに行うためのスライドベース１５を配置し、さらにスライドベース１５の所定位置に突起１６を設けることで、図６に示すように、前後に配置したストッパ１４に突起１６が嵌合され、スライドベースの上面及び前面を容易に拘束することができる。また、スライドベースの突起の位置を、複数ヶ所設ける、あるいはスライドベースの突起のスライド方向の長さを変えることで、テーブルのスライド量を任意に設定することができる。
【００２５】
ストッパの形状をスライドベースの突起を上面からも拘束できるようにＬ字の形状にしたことにより、テーブルをコンソール床板の外まで引き出してもテーブルから落ちることなく、なおかつ、用紙の出し入れを容易に行なうことができる。
【００２６】
テーブル１２が両側のスライドベース１５により床板１３上を走行する構成をとることで、テーブル１２がコンソール３内の中央位置にあるときは、ストッパに拘束されない状態を作り出すことができる。これにより、上面の拘束を持たないテーブルは、容易に上方に持ち上げ取り外すことができ、通常の用紙背面（側面）取出しにおいては工具を必要とすることなく、テーブルを容易に取り外すことができる。
【００２７】
図７は本発明の第４の例を示す側面図である。
【００２８】
図において、床板２１側のスライドレール３１にガイド溝を設け、そこにテーブル４側のピン４１を嵌合させ、テーブルの位置決めをする。ピン４１はテーブル４上に空いた複数の穴４２に差し替えが可能であり、ピン４１を差し替えることにより、テーブル４の位置を任意に決めることができる。
【００２９】
図８は本発明の第５の例を示す側面図である。
【００３０】
テーブル４側のスライドレール３１にガイド溝を設け、そこに図８（１）に示すようなＵ字型で異なった端部長さを持ったＵ字型ピン５１を落とし込み、位置決めする方式を示す。
【００３１】
図８（１）に示すように、Ｕ字型ピン５１の長尺側をテーブル４の穴より落とし込み位置決めする場合は、ガイド溝の全長さ分Ｌのスライド量である。Ｕ字型ピン５１の両方をテーブル４の穴より落とし込み位置決めする場合は、Ｕ字型ピン５１の端部間隔Ｘ分のスライド量が減り、スライド量をＬ−Ｘにする事ができる。また、本方式はコンソール３前部の位置決め位置は変えずに、コンソール３後部の位置決め位置だけを変えることができる。
【００３２】
【発明の効果】
本発明によれば、印字後用紙を折り畳み収納するためのテーブルの移動量を規定するストッパを任意の移動量を規定できるように複数箇所に設けたことにより、テーブルの位置を任意に設定できるので、どのような頁長の印刷用紙であっても良好なスタッキング性能を得ることができるという効果を得ることができる。
【００３３】
また、本発明によれば、第１の嵌合手段と第２の嵌合手段を嵌合せしめてテーブルの移動量を規定することにより、安価な構成でテーブルの前面落下を防止できる。更に、テーブルがコンソールの中央位置にあるときはストッパの拘束を受けないような構成とすることにより、テーブルを上方に持ち上げて取り外すことが容易となり、組立作業性の向上も図ることができる。
【００３４】
そして、位置決めピンを設けることにより、テーブルを取り外すことなく、ネジ等を取り外すことなく、容易にテーブルの位置決め箇所を変更することが可能となり、操作性が向上する。
【図面の簡単な説明】
【図１】本発明の第１の例を示す側面図及び平面図
【図２】本発明の第２の例を示す側面図及び平面図
【図３】本発明の第３の例を示す側面断面図
【図４】本発明の第３の例を示すテーブルの着脱状態を示す側面断面図
【図５】本発明の第３の例を示す平面図
【図６】本発明の第３の例を示すスライドベースとストッパの嵌合状態を示す斜視図
【図７】本発明の第４の例を示す側面図
【図８】本発明の第５の例を示す側面図
【図９】従来のプリンタの側面断面図
【図１０】従来のプリンタの側面断面図
【符号の説明】
１は印刷前用紙、２は印刷後用紙、３はコンソール、４はテーブル、５はストッパ、６はスタッキングガイド、７はカールコレクタ、１０は印刷機構部、２１は床板、３１はスライドレール、３２はテーブル側の突起、４１はピン、４２は嵌合穴、５１はＵ字型ピンを示す。
【図１】
0003733997.tif 000002
【図２】
0003733997.tif 000003
【図３】
0003733997.tif 000004
【図４】
0003733997.tif 000005
【図５】
0003733997.tif 000006
【図６】
0003733997.tif 000007
【図７】
0003733997.tif 000008
【図８】
0003733997.tif 000009
【図９】
0003733997.tif 000010
【図１０】
0003733997.tif 000011